(57)【要約】【課題】歯科医の個人的ニーズに柔軟に対応し、異なる歯科処置室の異なるニーズを満たすように装置の可変性を向上させる。【解決手段】患者用椅子及び歯科治療ユニットを備える統合歯科治療装置は、歯科治療ユニットに、スピットン構成体、種々のアーム、任意のデバイス又は道具用のコネクタ構造等が構造的に接続され、歯科治療ユニットを床に据え付ける手段及び患者用椅子を支持するための歯科治療ユニットに構造的に接続する手段を備え、歯科治療ユニットは垂直軸の回りで回動可能であり、少なくとも外部部分に関し対称で少なくとも１つの垂直対称面を形成し、少なくとも助手の器具／歯科医の器具用のアームの回動可能な配置の基準となる軸が対称面と一体化され、患者用椅子は、少なくともその外部部分に対称で少なくとも１つの垂直対称面を形成し、歯科治療ユニットの回動可能な配置の基準となる軸が対称面と一体化する。【選択図】      図６
2014000446.tif 000002
【特許請求の範囲】
【請求項１】
患者用椅子（２０）及び歯科治療ユニット（１０）を備える統合歯科治療装置であって、該歯科治療ユニットに、スピットン構成体（１２）、歯科医の器具用のアーム（４０）、助手の器具用／該統合歯科治療装置の吸引システム用のアーム（６０）、表示画面用のアーム、ライト（５１）用のアーム（５０）、トレー用のアーム、歯科処置環境で用いられる他の何らかの道具用のアーム、歯科処置環境で用いられる任意のデバイス又は道具用のコネクタ構造、のうち少なくとも１つが構造的に接続される、統合歯科治療装置において、
該統合歯科治療装置の前記歯科治療ユニット（１０）を床に据え付ける手段及び前記患者用椅子（２０）を支持するための前記歯科治療ユニットに構造的に接続する手段（２１）を備えるように構成され、前記歯科治療ユニットは垂直軸の回りで回動可能に構成され、前記統合歯科治療装置は、少なくとも外部部分に関する限り対称で少なくとも１つの垂直対称面を形成するように前記歯科治療ユニットを配置し、少なくとも前記助手の器具及び／又は前記歯科医の器具用のアーム（６０）の回動可能な配置の基準となる軸が前記対称面と一体化するように配置され、前記患者用椅子（２０）は、少なくともその外部部分に関する限り対称で少なくとも１つの垂直対称面を形成するように配置され、前記歯科治療ユニット（１０）の回動可能な配置の基準となる軸が、前記対称面と一体化するように配置されることを特徴とする、統合歯科治療装置。
【請求項２】
前記統合歯科治療装置は、少なくとも前記外部部分に関して少なくとも１つの対称面を含むように配置されるアシスタントユニットを備え、該ユニットは、前記助手の器具用のアーム（６０）に関連して位置付けられ、且つ前記助手の器具用に設けられる少なくとも１つの器具ホルダを備え、該器具ホルダの位置は、前記少なくとも１つの対称面の少なくとも１つと一体化する軸に対して調整可能であるようになっていることを特徴とする、請求項１に記載の統合歯科治療装置。
【請求項３】
前記統合歯科治療装置は、２つ以上の実質的に水平方向に延在するアーム構造（４０，５０，６０）を備え、該アーム構造は、歯科治療作業に関連して用いられる器具又はデバイスを支持するように配置され、且つ前記歯科治療ユニット（１０）の前記対称面と一体化するような少なくとも１つの軸を含むように配置されることを特徴とする、請求項１又は２に記載の統合歯科治療装置。
【請求項４】
前記歯科治療ユニット（１０）は、それ自体又はそれに含まれる構成部分の少なくともいくつかが、前記歯科治療ユニット（１０）の前記対称面と一体化する軸に対して回動可能であるように位置を調整可能であるように配置される、スピットン構成体（１２）を備えることを特徴とする、請求項１乃至３のいずれか１項に記載の統合歯科治療装置。
【請求項５】
前記患者用椅子（２０）は垂直軸に対して回動可能であるように構成されることを特徴とする、請求項１乃至４のいずれか１項に記載の統合歯科治療装置。
【請求項６】
前記歯科治療ユニット（１０）の前記外部部分は、前記歯科治療ユニット（１０）の前記垂直対称面を形成するように配置されたカバーを含み、患者用椅子（２０）が回動可能に配置される前記垂直軸を前記垂直対称面内に配置するように構成されることを特徴とする、請求項５に記載の統合歯科治療装置。
【請求項７】
前記患者用椅子（２０）を垂直軸に対し回動させることを可能にする手段は、前記患者用椅子（２０）を支持する手段（２１）に関連して配置されることを特徴とする、請求項５又は６に記載の統合歯科治療装置。
【請求項８】
前記歯科治療ユニット（１０）及び前記患者用椅子（２０）は、前記歯科治療ユニット（１０）が前記患者用椅子（２０）の両側で少なくとも１つの位置において該患者用椅子に対して対称的に配置されるように、互いに対して回動可能であるように構成される、ことを特徴とする請求項１乃至７のいずれか１項に記載の統合歯科治療装置。
【請求項９】
前記歯科治療ユニット（１０）は、垂直部及び実質的に水平方向に延在する部分（１１）を備え、該実質的に水平方向に延在する部分（１１）には、一方には前記歯科治療ユニット（１０）を床に据え付ける手段が、他方には前記歯科治療ユニット（１０）の前記垂直部が互いに離れて配置されることを特徴とする、請求項１乃至８のいずれか１項に記載の統合歯科治療装置。
【請求項１０】
前記歯科治療ユニット（１０）は、前記垂直軸に対して回動可能であるように配置されることを特徴とする、請求項１乃至９のいずれか１項に記載の統合歯科治療装置。
【請求項１１】
前記患者用椅子（２０）を支持する手段（２１）は、前記歯科治療ユニット（１０）から実質的に水平方向に延在する部分を含む、請求項１乃至１０のいずれか１項に記載の統合歯科治療装置。
【請求項１２】
前記患者用椅子（２０）を支持する手段（２１）の水平寸法は、前記歯科治療ユニット（１０）の前記水平方向に延在する部分（１１）の水平寸法と実質的に同程度であることを特徴とする、請求項１乃至１１のいずれか１項に記載の統合歯科治療装置。
【請求項１３】
前記歯科治療ユニット（１０）の前記カバーが対称面を含むように配置され、前記患者用椅子（２０）の回動可能な配置の基準となる垂直軸が、前記対称面内に位置付けられるように配置されることを特徴とする、請求項６に記載の統合歯科治療装置。
【請求項１４】
前記歯科治療ユニット（１０）及び前記患者用椅子（２０）は、互いに独立して回動可能であるように配置されることを特徴とする、請求項１乃至１３のいずれか１項に記載の統合歯科治療装置。
【請求項１５】
前記歯科治療ユニット（１０）の回動可能な配置の基準となる垂直軸、及び前記患者用椅子（２０）の回動可能な配置の基準となる垂直軸は、互いに離れて配置されることを特徴とする、請求項１乃至１４のいずれか１項に記載の統合歯科治療装置。
【発明の詳細な説明】
【技術分野】
【０００１】
本発明は、少なくとも患者用椅子及び歯科治療ユニットを備える統合歯科治療装置であって、歯科治療ユニットに、給水栓及び場合によってはカップスタンドを備えるスピットン構成体、歯科医の器具用のアーム、助手の器具ユニット用のアーム、統合歯科治療装置の吸引システムに接続されるアーム、表示画面用のアーム、無影灯用のアーム、トレー用のアーム、歯科治療環境で用いられる他の何らかのデバイス又は道具用のアーム、上述されているか否かにかかわらず歯科治療環境で用いられる任意のデバイス又は道具用のコネクタ構造、のうち少なくとも１つが構造的に接続される、統合歯科治療装置に関する。
【背景技術】
【０００２】
従来技術では、歯科治療ユニットは、特に歯科医間で異なる文化ごとに異なる構造体として実施されてきた。歯科治療ユニット自体は、歯科作業に関連して用いられる装置であり、その１つの本質的な従来の機能は、歯科医によって用いられる歯科用器具に動作パワー（例えば、電気又は圧縮空気）及び／又は水等の歯科医の業務に必要な物理量を適切に供給することである。したがって、これに関連して、歯科学に携わる当業者には自明であるように、歯科治療ユニットという用語は、少なくともそのような供給機能用の手段を囲むカバーを有する物理的実体を意味する。歯科作業に関連して、血液、唾液、歯石等を患者の口から吸引によって除去する器具を用いる必要がある場合も多い。器具を手元に置いておくために、通常は、歯科治療ユニットに様々なホルダ及び／又はアームが設けられる。歯科治療ユニットには、無影灯、及び今日では例えば表示画面等の設備のために、複数のアームが取り付けられている場合さえある。いくつかの解決手段では、患者用椅子も歯科治療ユニットと統合されて、単一の装置を形成する。歯科治療の文化に関して異なる地域の顧客に対応することができ、且つ歯科医が歯科治療業務に関連して望む器具の利用可能性等の歯科医の個人的ニーズ及び習慣にも対応することができるように、製造業者は、多くの異なる装置生産バージョンを保持せざるを得ない。
【０００３】
異なるバージョンの数を減らすための１つの解決手段は、同じ基本構造体を利用して少なくとも２つの異なる顧客ニーズを満たすことができるように、異なる構成の実現を可能にするものとして装置を実現することである。歯科治療ユニットは、概して、例えば圧縮空気、吸引、及び排水用の接続部を必要とし、多くの場合は給水網及び電気用の接続部も必要とするため、このような接続部は、通常、この常設設備に関連して必要なライン及び接続部を設けることによって永管継手（permanent fitting）として処置室に作り付けられる。
【０００４】
歯科医の中でも特殊な範疇に入るのが、左利きの歯科医である。特に、今日の歯科医は、通常は横たわった位置まで倒した患者の片側から作業するため、左利きの歯科医は、患者に対して右利きの歯科医が好むのとは異なる側から作業するのが通常はより自然である。
【０００５】
従来技術は、左利き／右利き作業間での変更さえも可能にするものとして実施される統合歯科治療装置を含む。例えば、患者用椅子が床に固定されており、歯科治療ユニットを介して用いられることが意図される器具及び他のデバイスに必要なラインが、患者用椅子の構造を通ってそれらの器具及び他のデバイスに通じており、歯科治療ユニットを患者用椅子の第１の側から第２の側に回すことができるように垂直軸に対して回動可能に配置されるアーム部の端に、歯科治療ユニットを据え付けることによって、歯科治療ユニットが患者用椅子に接続される、従来技術の構成体がある。これらの構成体は、患者用椅子の両側からの装置の使用を考慮した状況を改善するが、統合歯科治療装置の考えられる部分全ての観点では、この解決手段の結果自体は対称ではない。
【０００６】
他方、上述したような構造体は、患者用椅子が床に据え付けられる基本構造を備える。しかしながら、多くの歯科医の意見では、患者用椅子が床に固定されておらず、例えば歯科治療ユニットに関連して椅子上げ機構が配置されている統合歯科治療装置の方が、間違いなく人間工学的である。このような基本構造によって得られる可能性は、患者用椅子が比較的薄い構造として実施され得ることで、歯科医が座位で自分の膝を患者用椅子の下に置いていても作業が可能であるほど十分な空間を椅子の下に設けることができることである。患者用椅子及び歯科治療ユニットの統合により、装置で必要な構成部分の数を減らすことができる可能性が得られる。
【０００７】
さらに、患者用椅子、歯科治療ユニット、又はそれらから形成される装置が、常設設備として歯科処置室に配置される場合が多いことに加えて、歯科処置空間には、通常、棚又は例えば壁に据え付けられた歯科用Ｘ線デバイス等の他の固定構造も設けられる。通常、常設設備の解決手段では、例えば処置空間内の固定構造に対して又は統合歯科治療装置に含まれ得る他の構造に対して歯科医又は助手の作業場所を変えることができる可能性があまりないのと同じように、これらの構造に対して処置用椅子上の患者の位置を変えることができる可能性もあまりない。さらにより大まかに言えば、複数の機能が同じ構造体に統合されている多くの統合歯科治療装置を考えると、多くの場合、装置の種々の部分の配置及びそれらの位置の調整可能性には、例えば人間工学的作業及び変わりやすい診療空間によって課せられる特殊な要件の観点から改善の余地が残っている。
【発明の概要】
【０００８】
本発明の目的は、統合歯科治療装置の新たな概念、つまり、特に歯科医の個人的ニーズにより柔軟に対応することができるような形で、異なる歯科処置室の異なるニーズを満たすように装置の可変性をそれ自体及びその好適な実施形態で向上させる概念を提供することである。その目標は、患者用椅子が床に据え付けられるように配置されるのではなく統合歯科治療装置の他の構造によって支持されるように配置される、それ自体が既知の基本構造体を保ち続けることである。具体的な目的はさらに、好ましくはユーザから見える部分及び特性の全てに関して装置を対称に配置させることで、装置の全部分を患者用椅子の両側で同じように位置決めすることができ、且つ器具及びそれに接続可能な他のデバイスを患者用椅子の両側から同じように用いることができるように、構造体を実施することを可能にすることである。
【０００９】
以下で、本発明のこれらの目的及びいくつかの他の目的、並びにその好適な実施形態のいくつかを、添付図面も参照してより詳細に説明する。
【図面の簡単な説明】
【００１０】
【図１】本発明の装置の好適な実施形態の基本構造を側面図で示す。
【図２】本発明の装置の第２の好適な実施形態の基本構造を側面図で示す。
【図３】本発明の装置の第３の実施形態を側面図で示す。
【図４】歯科治療ユニットに対する患者用椅子のいくつかの可能な位置を示す。
【図５】患者用椅子に対する歯科治療ユニットのいくつかの可能な位置を示す。
【図６】本発明の装置の好適な一実施形態を側面図で示す。
【図７】本発明の装置の好適な一実施形態を側面図で示す。
【図８】一方が右利き作業用で他方が左利き作業用に位置決めされた、上から見た本発明の装置を示す。
【図９】作業空間における図６による装置の構成部分の１つの可能な位置決め方法を示す。
【発明を実施するための形態】
【００１１】
図１は、本発明による統合歯科治療装置１の基本構造を側面図で示す。図１による装置は、床据付型歯科治療ユニット１０と、歯科治療ユニット１０に接続されている実質的に水平方向に延在するアーム部２１によって支持されるように配置される患者用椅子２０とを備える。図１による解決手段では、垂直方向に延在する部分を含む歯科治療ユニット１０も同じく、実質的に水平方向に延在するアーム部１１によって支持されるように配置され、アーム部１１の基端は、歯科治療ユニット１０の床据付構造に関連して配置される。本発明によれば、患者用椅子２０及び歯科治療ユニット１０の両方が、垂直軸１０１、１０２に対して回動可能であるように配置される。歯科治療ユニット１０は、垂直軸１０１、１０２に対して３６０度回動可能であるように配置され得る。図１に示す解決手段では、歯科治療ユニット１０は、実質的にそのアーム部１１と共に回動し、このアーム部は、その基端に位置付けられる据え付け点を実質的に中心として回動するが、患者用椅子２０は、実質的にその支持アーム２１の端において回転する。この構造体は、歯科治療ユニット１０を支持する床据付型の実質的に水平方向に延在するアーム部２１を備えるため、歯科治療ユニット１０の垂直部の底部は、床面レベルから離れた所にある。図１の構造体では、歯科治療ユニット１０には、患者用椅子２０を支持するアーム部２１を昇降させる手段が設けられ得る。しかしながら、患者用椅子２０の支持及びその垂直位置の調整は、例えばレバーアームタイプの構造を用いること等による他の方法で実施することもできる。しかしながら、好ましくは、患者用椅子２０の高さ位置を変えるのに必要な機構の少なくとも一部が、歯科治療ユニット１０に関連して配置される。
【００１２】
図１では、患者用椅子２０及び歯科治療ユニット１０の回転軸１０１、１０２を統一された線で表すことで、本発明のこの実施形態では当該垂直軸１０１、１０２の位置が一体であることを強調している。しかしながら、本発明による構造体は、歯科治療ユニット１０又は図１による場合では歯科治療ユニット１０の支持アーム１１の回動可能な配置の基準となる垂直軸１０１と、他方では患者用椅子１１の回動可能な配置の基準となる垂直軸１０２とが、互いに離れているように実施することもできる（図２）。このような構成体は、統合歯科治療装置１自体が床据付型であったとしても、歯科処置空間において患者用椅子２０の位置を変えることを可能にする。この解決手段からいくつかの付加的な特徴が得られるが、その中でも、例えばここでは、左利きの人の作業構成体から右利きの人の作業構成体へ又はその逆への構造体の部分の相互位置の変更を、図１による構造体と比較した場合に可能であるよりも小さな空間で実現することができるという特徴を挙げることができる。
【００１３】
歯科治療ユニット１０に対する患者用椅子２０の回転は、電動技法によって実施され得る。本発明の好適な実施形態によれば、装置には、これら２つの部分を互いに独立して、すなわち、例えばこれらの一方が移動している間他方が固定されたままであるように、回動させることを可能にする構成体が設けられる。他方、例えば、装置及びそのユーザインタフェースの制御システムに、装置の部分を互いに対して所与の所望の位置にするための様々な自動機能を設けることが可能である。すでに述べた部分に加えて、装置に含まれ得る他の部分に適用されるように上記が配置されることもある。好適な一実施形態によれば、歯科治療ユニット１０を垂直軸１０１、１０２に対して回動させることを可能にする手段は、歯科治療ユニット１０を床に据え付ける手段に実質的に関連して配置される。他方、患者用椅子２０を垂直軸１０１、１０２に対して回動させることを可能にする手段は、患者用椅子２０を支持する手段２１に関連して配置され得る。
【００１４】
本発明の一実施形態によれば、実際の歯科治療ユニット１０は、図１及び図２のように垂直軸１０１から離れた支持アーム１１の端において回動可能であるように配置されるのではなく、その代わりに、実質的に所定位置で、すなわち例えば、歯科治療ユニット１０が上述のように実質的に水平方向に延在するアーム部１１を全く含まずに上記物理的又は仮想的な垂直軸１０１が実際の歯科治療ユニット１０自体を通るように配置される（図３）。他方、患者用椅子２０は、実質的にそれ自体を中心として回動可能であるように配置され得ることに加えて、付加的又は代替的に、その支持アーム２１によって支持されるものとして支持アーム２１の回転運動と共に回動可能であるように配置されてもよい。
【００１５】
図１では、患者用椅子２０は、椅子の実際のシート部２３に機能的に接続される背もたれ２４が直立位置に起こされている位置で示されている。本発明の好適な一実施形態によれば、歯科治療ユニット１０は、歯科治療ユニット１０が回動中に、患者用椅子２０の背もたれ２４と共にヘッドレスト２５を直立位置にしたまま歯科治療ユニット１０を患者用椅子２０の反対側に回動させる（又は換言すれば、患者用椅子２０を歯科治療ユニット１０に対して逆に回動させる）のに辛うじて足りるだけの半径の円形路に沿って同時に移動するように、垂直軸１０１に対して回動可能であるように配置される。患者用椅子２０の回動は、水平軸１０１、１０２に対して回動可能であるように配置されるシート部２３に取り付けられている部分を通して行われ得る。
【００１６】
本発明によれば、歯科治療ユニット１０は、原理上、例えば患者用椅子２０のフットレスト２２を垂直位置に曲げることが可能であるように配置することによって、椅子２０の周りを回ってフットレスト２２の側にも回り込むように配置され得る。しかしながら、最初に述べた代替形態は、患者が診察のために座位にある間は（図１）歯科治療ユニット１０が背もたれ２４の後ろにあって目につかず、診察後に歯科治療ユニット１０及び患者用椅子２０を処置のために所望の相対位置に移動させる機能を可能にする。図４は、診察状況での患者用椅子２０及び歯科治療ユニット１０の相対位置（実線）と、右利き作業位置及び左利き作業位置への歯科治療ユニット１０に対する患者用椅子２０の配置（破線）との上面図を示す。図を簡略化するために、患者用椅子２０を支持している支持アーム２１は図４には示されておらず、その位置は当業者には自明であるため、装置を上面図で示す後続の図のいずれにも示されていない。
【００１７】
図５は、図４に対応する患者用椅子２０及び歯科治療ユニット１０の相対位置を示すが、診察位置から右利き作業位置及び左利き作業位置への変更時の患者用椅子２０に対する歯科治療ユニット１０の位置の変わり方の観点から示している。
【００１８】
上記の説明では、統合歯科治療装置の歯科治療ユニット１０及び患者用椅子２０を検討してきたが、歯科医の作業場に加えて、多くの現代の統合歯科治療装置は、歯科医の作業場に対して患者用椅子２０の反対側、すなわち通常は歯科治療ユニット１０が位置付けられる患者用椅子２０の反対側に通常位置付けられる、助手の作業場をさらに備える。実際には、助手の作業場は、例えば、歯科医の器具台とは別個で例えばヒンジ式アーム構造を介して歯科治療ユニットに取り付けられる、器具スタンド又はユニットから成り得る。助手の器具スタンド又はユニットは、通常、アームシステムに固定されるように配置され、器具スタンド又はユニットを患者用椅子２０の下にくぐらせることで患者用椅子２０の反対側に回すことを可能にすることによって、又は患者用椅子２０の上を越えてスタンドに手が届くことを可能にすることによって、助手の作業場からも歯科医の作業場からも器具に手が届くことが可能になる。例えば、歯科治療ユニットの吸引システムは、助手の作業場に配置される場合が多い。
【００１９】
図６及び図７に示す構成体は、統合歯科治療装置１に設けられる別の器具ホルダ６２に関して本発明で適用可能な一実施形態を含む。この解決手段は、アシスタントユニット６１を支持するように歯科治療ユニット１０の底部に接続されて歯科治療ユニット１０から延びるように配置される、関節アームシステム６０を備える。アシスタントユニット６１は、互いに離れて位置付けられる少なくとも２つの垂直軸１６０、１６１に対して回動可能であるように配置される。
【００２０】
したがって、本発明の好適な一実施形態によれば、助手の作業場の主要部分を形成する器具ホルダ６２も、統合歯科治療装置の部分の右利き配置を左利き配置に変えるときに器具ホルダ６２を含むアシスタントユニット６１を歯科治療ユニット１０及び患者用椅子２０に関して対応する位置に回動させることができるように、歯科治療ユニット１０に関連して配置される。好適な実施形態によれば、これは、第１に、アシスタントユニット６１が歯科治療ユニット１０の下から歯科治療ユニット１０に対して実質的に垂直方向に延在するアーム６０に据え付けられて、当該アーム６０がその基部において垂直軸１６０に対して回動可能であり、アシスタントユニット６１も第２の垂直軸１６１に対して回動することができるようにこのアーム６０に据え付けられるようになっている構成体を用いることによって実施される。さらに、調整可能に配置可能な器具ホルダ６２がアシスタントユニット６１に設けられる場合、器具ホルダ６２の位置も、ホルダ６２をアシスタントユニット６１に対して対称に配置させるような配置でなければならない。右利き・左利き特性に加えて、このような構成体は、助手の作業場自体に関連して器具ホルダ６２を位置決めすることができる幅広い可能性も与える。図６及び図７では、アシスタントユニット６１は、アーム６０に配置されて助手の器具用の器具ホルダ６２を担持する垂直部材を備える。アシスタントユニット６１のこのタイプの垂直部材は、統合歯科治療装置の吸引システムの一部を形成するように構成される場合が多い。アシスタントユニット６１の垂直部材は、垂直軸１６１に対して３６０度回動可能であるように配置され得る。
【００２１】
歯科医の作業場を患者用椅子２０の両側で同一にすることを可能にするために、患者用椅子２０及び歯科治療ユニット１０に加えて、統合歯科治療装置に備わり得る他の部分も考慮する必要がある。例えば、通常は、給水栓及びカップスタンドを有するスピットン構成体１２が歯科治療ユニット１０に関連して配置される（図４）。本発明の好適な実施形態では、スピットン構成体１２は、歯科治療ユニット１０が右利き作業の観点から見られるか左利き作業の観点から見られるかに関係なく、その部分全てが決まった位置にあるか又はユーザの観点から対応して位置付けられ得るようにも実施される。例えば、スピットン１２の場所が可変であるようになっている場合、これは、歯科治療ユニット１０に対して対称にその両側に回動可能であるように配置され得る。
【００２２】
さらに、現代の統合歯科治療装置は、通常、無影灯５１等の補助機器及び例えば歯科作業で用いるために器具台４１上に位置決めされる器具に対応するように歯科治療ユニット１０に取り付けられる、少なくとも１つの、多くの場合は少なくとも２つのアーム構造４０、５０も備える（図６）。例えば、装置の診察位置を考慮して、装置に（コンピュータ）表示画面用のアームを設けることが可能である。
【００２３】
上述したもののようなアームは、通常、歯科治療ユニット１０から垂直方向に延在する柱３０に取り付けられる。他方、添付図面には示されていないが、特に器具台を担持するアームも、歯科治療ユニット１０の台座の、床に据え付け固定された不動部分又はその上の部分に、すなわち歯科治療ユニット１０のうち患者用椅子２０の下に位置付けられて上記垂直軸１０１に対して回動可能な部分に、取り付けられるように配置され得る。
【００２４】
本発明の好適な一実施形態によれば、この種のアームシステム、特に器具用のアームシステム４０は、患者用椅子２０及び歯科治療ユニット１０のどちら側に位置付けられるかに関係なく患者用椅子２０に関して対称に位置決めされ得るように実施される。例えば、図７に示す実施形態では、これは、器具アーム４０に３つのスイベルジョイント４０１、４０２、４０３を設けることによって実現されている。これらのスイベルジョイントのうち、第１のスイベルジョイント４０１は、器具アーム４０をその基部において水平面内で回動させることを可能にし、第２のスイベルジョイント４０２は、アームを水平面内で曲げることを可能にし、第３のスイベルジョイント４０３は、アーム４０の端に配置されている器具台４１を水平面内で回動させることを可能にする。柱３０における器具台４１の高さ位置は、調整可能にすることができ、同じく器具アーム４０には、器具台４１の高さ位置の調整を可能にするジョイント（図示せず）が設けられ得る。
【００２５】
統合歯科治療装置の器具台４１又は同等物は、通常、異なる動作量を必要とする複数の異なる器具を保持するように配置される。器具を所望の順序で器具台４１に載せることを可能にするために、それ自体が既知の解決手段は、器具置場の少なくともいくつかを汎用であるように構成することである。本発明の好適な一実施形態によれば、器具台４１が右利き用に位置決めされているか左利き用に位置決めされているかに関係なく通常の歯科器具を対応する順序で配置することを可能にするために、器具置場の全てが汎用であるように構成される。
【００２６】
器具台４１の器具置場に関して上述したことに対応して、器具ホルダ６２及びそこで用いられる器具置場を含む助手の作業場も同じく、器具の少なくともいくつかを右利きの状況及び左利きの状況の両方で装置のユーザの観点から同じように配置することができるように実施されることが好ましい。
【００２７】
したがって、本発明の好適な実施形態によれば、統合歯科治療装置のうち少なくとも、歯科医及び／又は歯科助手から見える部分全てが、処置作業場が患者用椅子２０の両側で対称的に同一であるように配置され得るように位置決め及び使用されるように配置される。したがって、本発明の１つの説明の仕方では、本発明は、患者用椅子２０及び歯科治療ユニット１０が実質的に対称に配置され、且つ患者用椅子２０が歯科治療ユニット１０の対称面内に配置される軸１０１、１０２を中心として歯科医療ユニット１０に対して回動可能であるように配置される統合歯科治療装置を含むものとして、また、好ましくは歯科医及び助手の器具を支持する構造、無影灯等の装置の他の部分も歯科治療ユニット１０の対称面内に配置される軸に対して回動可能であるように配置される統合歯科治療装置を含むものとして定義される。
【００２８】
本発明の統合歯科治療装置は、患者用椅子２０及び歯科治療ユニット１０を備えるものとも言うことができ、この装置では、歯科治療ユニットに、スピットン構成体１２、歯科医の器具用のアーム４０、助手の器具用及び／又は統合歯科治療装置の吸引システム用のアーム６０、表示画面用のアーム、ライト５１用のアーム５０、歯科治療環境で用いられる他の何らかのデバイス用に配置されるアーム、上述されているか否かにかかわらず歯科治療環境で用いられる任意のデバイス用のコネクタ構造、の少なくとも１つが構造的に接続され、また、この統合歯科治療装置は、これを床に据え付ける手段を備えるように構成され、歯科治療ユニット１０及び患者用椅子２０は、少なくとも患者用椅子２０を支持する手段によって構造的に接続される。さらに、この装置は、少なくとも歯科処置現場から見える外部部分に関する限り対称で少なくとも１つの垂直対称面を形成するように上記歯科治療ユニット１０を配置して、少なくとも助手の器具及び／又は歯科医の器具用のアーム４０、６０の回動可能な配置の基準となる軸１０１、１０２がこの対称面と一体化するように配置されることによって、実施することができ、さらに、上記患者用椅子２０は、少なくともその外部部分に関する限り対称で少なくとも１つの垂直対称面を形成するように配置され、上記歯科治療ユニット１０の回動可能な配置の基準となっている軸１０１、１０２が、この対称面と一体化するように配置される。
【００２９】
さらに、本発明の装置は、少なくともその外部部分に関して少なくとも１つの対称面を含むように配置されるアシスタントユニット６１を備えることができ、このユニット６１は、上記助手の器具用のアーム６０に関連して位置付けられ、上記助手の器具用に設けられる少なくとも１つの器具ホルダ６２を備え、当該器具ホルダ６２の位置は、上記少なくとも１つの対称面のうちの少なくとも１つと一体化する軸１６１に対して調整可能であるようになっている。装置は、歯科治療作業に関連して用いられる器具又はデバイスを支持するように配置され、且つ歯科治療ユニット１０の上記対称面と一体化するような少なくとも１つの関節シャフトを備えるように配置される、１つ又は複数の実質的に水平方向に延在するアーム構造４０、５０、６０も備え得る。歯科治療ユニット１０は、それ自体又はそれに含まれる構成部分の少なくともいくつかが、歯科治療ユニット１０の上記対称面と一体化する軸に対して回動可能であるように位置を調整可能であるように配置される、スピットン構成体１２も備え得る。
【００３０】
本発明及びその様々な実施形態は、特に、同じ統合歯科治療装置を用いて右利きの歯科医及び左利きの歯科医で共通の歯科診療を実施することを可能にする。さらに、装置の転売の可能性がある場合又は実習の場合に、本発明は、装置の以前のユーザ及び将来のユーザの利き手が同じであるか異なるかを考慮する必要をなくす。装置の部分の動作は、例えば、診療時に装置の部分それぞれの再位置決めが行われる可能性のある頻度に従って、所望に応じて電動式又は手動式となるように構成することができる。
【００３１】
本発明の好適な一実施形態は、患者用椅子２０を歯科治療ユニット１０に関して１８０度（少なくとも）回動させる可能性を含む。これを、患者用椅子２０及び歯科治療ユニット１０の回動可能な配置の基準となる垂直軸１０１、１０２が互いに離れている本発明の好適な実施形態と組み合わせると、この装置で、患者用椅子２０及び歯科治療ユニット１０が単一の組立体に統合される統合歯科治療装置の部分の配置に関して幅広く全く新しい可能性を得ることが可能になる。例えば、図８は、歯科治療ユニット１０及び患者用椅子２０を互いに対して回動した位置に配置することで助手の作業場において利用可能な空間を変えることができる様子を視覚化している。患者を、処置空間で種々の向きに位置決めし、例えば必要であれば処置空間の所与の壁、戸棚等に近付ける、換言すれば、例えば壁据付型Ｘ線装置、又はライト、顕微鏡、モニタ、カメラ等の他の補助機器に対してより近く又はより人間工学的な位置にすることができる。患者を補助機器に対して位置決めすることができることで、原理上、補助機器用のアームシステムを以前よりも単純な形態で実施することができるようになる。他方、付加的な機器の位置付けはそれほど慎重である必要がなく、患者をこうした機器に手が届く位置にすることができるため、処置空間でのこうした機器の位置決めに関してより多くの可能性が本発明の装置によって得られる。
【００３２】
本発明及びその好適な実施形態に関して、処置室内の種々の物体及び戸棚は、通常は所定の場所に位置付けられるため、本発明は、歯科医が一人で作業しているときには助手側にある戸棚に手が届き、助手がいるときには助手が自分側から歯科医を助けて自分側から歯科医に物品を差し出すように、歯科医が一人で／助手と一緒に作業しているときに患者用椅子２０の位置を或る程度変えることができる可能性が本発明によって得られることは、さらに言及する価値がある。
【００３３】
さらに、本発明は、歯科治療ユニット１０をできる限り助手から遠くに移動させることによって助手の作業空間を最適化することを可能にし、他方では、例えばスピットン１２に患者の手が届く必要があるときに歯科治療ユニット１０を近付けることを可能にする。助手が他の仕事に取り掛かるために作業場を離れるときに、歯科治療ユニット１０を患者用椅子２０に近付けることもできるため、例えばスピットン１２、カップ、及び助手の器具ホルダ６２に載っている器具に歯科医の手がより届きやすくなる。
【００３４】
本発明の好適な実施形態の本質的特徴は、装置の回転可能な部分の回転軸が装置の少なくとも１つの他の部分の対称面内に適当に配置され、装置に複数の別個の対称面を提供することができることである。
【００３５】
統合歯科治療装置で用いられる器具台又は器具ホルダは、特に器具台のコーナに配置される、スプレー器具を対称に置くことができるような少なくとも２つの器具接続場所を備えることができる。本発明の装置は、例えば表示画面又はグラフィックユーザインタフェース用の対称に配置された接続場所も備える。
【００３６】
好適な一実施形態では、患者用椅子２０を支持する手段２１の水平寸法は、歯科治療ユニット１０の支持構造の水平方向に延在する部分１１の水平寸法と実質的に同程度である。このような状況では、患者用椅子２０及び歯科治療ユニット１０の回動可能な配置の基準となる垂直軸１０１、１０２間の好ましい距離は、約２００ｍｍ以下である。
【００３７】
本発明のさらなる実施形態は、添付の特許請求の範囲内で当業者に自明である。
【図１】
2014000446.tif 000003
【図２】
2014000446.tif 000004
【図３】
2014000446.tif 000005
【図４】
2014000446.tif 000006
【図５】
2014000446.tif 000007
【図６】
2014000446.tif 000008
【図７】
2014000446.tif 000009
【図８】
2014000446.tif 000010
【図９】
2014000446.tif 000011